(57)【要約】【課題】前面板に静電容量型タッチスイッチを設けた蛍光表示管においてスイッチの動作を安定させる。【解決手段】前面板の内面に静電容量型タッチスイッチ部を設けた蛍光表示管において、フィラメント状の陰極とタッチスイッチ部の間に遮蔽電極を設ける。  タッチスイッチ部にフィラメント状陰極から放出された電子が照射されることを防ぎ、タッチスイッチ部及びその周囲のチャージを防止するので、静電容量型タッチスイッチの動作が安定する。【選択図】図１
2010114015.tif 000002
【特許請求の範囲】
【請求項１】
少なくとも一部に表示窓部を設けた前面板を有する外囲器と、
電子を放出するフィラメント状の陰極と、
電子により励起発光される蛍光体が被着された、表示データに応じて選択可能な陽極と、
前記前面板の前記表示窓部の内面に設けたタッチスイッチ部と、
前記フィラメント状の陰極と前記タッチスイッチ部の間に設けた遮蔽電極とを有する蛍光表示管と、
前記タッチスイッチ部と電気的に接続され、当該タッチスイッチ部からの入力に応じて表示データを出力するスイッチ制御部と表示制御部を備えた蛍光表示装置。
【請求項２】
少なくとも一部に表示窓部を設けた前面板を有する外囲器と、
電子を放出するフィラメント状の陰極と、
電子により励起発光される蛍光体が被着された、表示データに応じて選択可能な陽極と、
前記前面板の前記表示窓部の内面に設けられ、スイッチ制御回路に信号を出力するタッチスイッチ部と、
前記フィラメント状の陰極と前記タッチスイッチ部の間に設けた遮蔽電極とを有する蛍光表示管。
【請求項３】
少なくとも一部に表示窓部を設けた前面板を有する外囲器と、
電子を放出するフィラメント状の陰極と、
電子により励起発光される蛍光体が被着された、表示データに応じて選択可能な陽極と、
前記前面板の前記表示窓部の内面に設けたタッチスイッチ部と、
前記フィラメント状の陰極と前記タッチスイッチ部の間に設けた遮蔽電極と、
前記タッチスイッチ部と電気的に接続され、当該タッチスイッチ部からの入力に応じて表示データを出力するスイッチ制御部と表示制御部を前記外囲器内に有する蛍光表示管。
【請求項４】
前記遮蔽電極はメッシュ状の金属電極であることを特徴とする請求項１記載の蛍光表示装置、又は請求項２もしくは請求項３記載の蛍光表示管。
【請求項５】
前記遮蔽電極は前記表示窓部の周囲の領域で前記前面板に固着されていることを特徴とする請求項１記載の蛍光表示装置、又は請求項２もしくは請求項３記載の蛍光表示管。
【請求項６】
前記遮蔽電極には前記フィラメント状の陰極と同電位又はこれと比較して負の電位が印加されていることを特徴とする請求項１記載の蛍光表示装置、又は請求項２もしくは請求項３記載の蛍光表示管。
【請求項７】
前記タッチスイッチ部はストライプ状又はメッシュ状の金属薄膜電極であることを特徴とする請求項１記載の蛍光表示装置、又は請求項２もしくは請求項３記載の蛍光表示管。
【請求項８】
前記タッチスイッチ部の周囲に当該タッチスイッチ部とは電気的に独立し、前記表示窓部を覆うダミー電極が設けられていることを特徴とする請求項１記載の蛍光表示装置、又は請求項２もしくは請求項３記載の蛍光表示管。
【請求項９】
前記ダミー電極の電位は所定の電位に固定されていることを特徴とする請求項８記載の蛍光表示装置、又は蛍光表示管。
【請求項１０】
前記タッチスイッチ部は相互に入り組んだ４つの電極を有し、両端の電極を同位相、他の電極はそれぞれ１２０度ずつ位相をずらして静電容量を検出するものであることを特徴とする請求項１記載の蛍光表示装置、又は請求項２もしくは請求項３記載の蛍光表示管。
【発明の詳細な説明】
【技術分野】
【０００１】
本発明は、タッチスイッチ部を備えた蛍光表示装置に関するものである。
【背景技術】
【０００２】
加熱されたフィラメント状の陰極から放出された電子を、陽極の上面に被着された蛍光体に射突し、励起発光させて表示を行う蛍光表示管が知られている。蛍光表示管は各種の電子・電気機器、車の表示部として用いられており、表示すべき信号は通常、蛍光表示管の周囲に設けられたスイッチから入力される。
【０００３】
近年、上記の用途では機器の小形化やデザインの観点からスイッチを蛍光表示管を構成する外囲器の一部に形成する必要が生じている。かかる構造として外囲器の一部である前面板の内壁面にタッチスイッチの電極を隣接して形成し、その電極部間の静電容量変化を検出する検出制御部により蛍光表示管の表示を切り替え制御する蛍光表示装置が知られている（例えば特許文献１）。
【０００４】
図６、７により従来のタッチスイッチ部を備えた蛍光表示装置を説明する。
図６は従来技術における蛍光表示管の分解斜視図、図７は装置全体の電気的構成のブロック図である。図６で１０１は、蛍光表示管で、この蛍光表示管１０１は表示窓部１０２が形成された外囲器１０３を有しており、この外囲器１０３は、パターン表示部１０４が形成される基板１０５と、この基板１０５の外周縁部に立設される側板１０６と、その側板１０６を挟んで上記基板１０５と重ね合せて取り付けられる前面板１０７とで構成される。
【０００５】
前面板１０７の内壁面には透明導電膜であるネサ膜が被着されて、透明なスイッチ電極部１０８が形成されており、このスイッチ電極部１０８は、共通電極１０８ａと、この共通電極１０８ａと絶縁部１０９により分離されて複数個設けられる対向電極１０８ｂとで構成され、このスイッチ電極１０８と対向する外囲器外壁面１０７ａによりタッチスイッチ検出部Ｓが形成される。
【０００６】
また内部が高真空状態に保持される上記外囲器１０３内には、前記パターン表示部１０４を構成する蛍光体層が被着された陽極１０４ａと、この陽極１０４ａの上面を覆うようにして配設される複数の制御電極１１０と、この制御電極１１０の上方に張架配設されるフィラメント状陰極１１１が封入されており、各電極１０４ａ、１１０、１１１は、外囲器１０３より外方に突出されているリード端子１１２、１１２のそれぞれと電気的に接続されている。そして前記スイッチ電極部１０８は接続舌片１１３によりそれぞれリード端子１１２に電気的に接続されている。
【０００７】
上記スイッチ電極部１０８の共通電極１０８ａと対向電極１０８ｂは図７に示すスイッチ制御回路部１１４と接続されており、スイッチ制御回路部１１４の出力側は、前記蛍光表示管１０１内の陽極１０４ａ及び制御電極１１０に付与する電流を制御する表示制御部１１５に接続されている。
共通電極１０８ａと対向電極１０８ｂは絶縁部１０９の間隙をもって対向しているので両電極間には静電容量が存在し、一種のコンデンサとなる。
【０００８】
ここでタッチスイッチ検出部Ｓに何も触れない状態と、操作者の指が触れた状態の静電容量の変化をスイッチ制御回路部１１４で検出する。そしてスイッチ制御回路部１１４の出力に応じて表示制御部１１５を介してパターン表示部１０４の表示が変更される。
以上のように蛍光表示管１０１とスイッチ制御回路部１１４、表示制御部１１５でタッチスイッチ付き蛍光表示装置を構成している。
【特許文献１】特開昭５８−５９４９号公報
【発明の開示】
【発明が解決しようとする課題】
【０００９】
図６において、フィラメント状陰極１１１から放出される電子はパターン表示部１０４だけでなく、スイッチ電極部１０８及びその周囲の前面板１０７の内壁面にも照射される。そして、電子がスイッチ電極部１０８やその周囲の前面板１０７の内壁面にチャージすることで当該部分の静電容量に影響を与えて、スイッチ制御回路部１１４で信号の誤検出を起こすことがあった。これにより表示制御部１１５を介してパターン表示部１０４に誤った表示がなされる問題があった。
本願発明は、従来のタッチスイッチ部を備えた蛍光表示装置における前記問題点に鑑み、タッチスイッチ部での信号の誤検出を起こさないタッチスイッチ部を備えた蛍光表示管ならびにその蛍光表示管を用いた蛍光表示装置を提供することを目的とする。
【課題を解決するための手段】
【００１０】
本発明は、その目的を達成するため、請求項１に記載の蛍光表示装置は、少なくとも一部に表示窓部を設けた前面板を有する外囲器と、電子を放出するフィラメント状の陰極と、電子により励起発光される蛍光体が被着された、表示データに応じて選択可能な陽極と、前記前面板の前記表示窓部の内面に設けたタッチスイッチ部と、前記フィラメント状の陰極と前記タッチスイッチ部の間に設けた遮蔽電極とを有する蛍光表示管と、前記タッチスイッチ部と電気的に接続され、当該タッチスイッチ部からの入力に応じて表示データを出力するスイッチ制御部と表示制御部を備えたことを特徴としている。
【００１１】
本発明の請求項２に記載の蛍光表示管は、少なくとも一部に表示窓部を設けた前面板を有する外囲器と、電子を放出するフィラメント状の陰極と、電子により励起発光される蛍光体が被着された、表示データに応じて選択可能な陽極と、前記前面板の前記表示窓部の内面に設けられ、スイッチ制御回路に信号を出力するタッチスイッチ部と、前記フィラメント状の陰極と前記タッチスイッチ部の間に設けた遮蔽電極とを有することを特徴としている。
【００１２】
本発明の請求項３に記載の蛍光表示管は、少なくとも一部に表示窓部を設けた前面板を有する外囲器と、電子を放出するフィラメント状の陰極と、電子により励起発光される蛍光体が被着された、表示データに応じて選択可能な陽極と、前記前面板の前記表示窓部の内面に設けたタッチスイッチ部と、前記フィラメント状の陰極と前記タッチスイッチ部の間に設けた遮蔽電極と、前記タッチスイッチ部と電気的に接続され、当該タッチスイッチ部からの入力に応じて表示データを出力するスイッチ制御部と表示制御部を前記外囲器内に有することを特徴としている。
【００１３】
本発明の請求項４に記載の蛍光表示装置又は蛍光表示管は前記遮蔽電極がメッシュ状の金属電極であることを特徴としている。
本発明の請求項５に記載の蛍光表示装置又は蛍光表示管は前記遮蔽電極が前記表示窓部の周囲の領域で前記前面板に固着されていることを特徴としている。
本発明の請求項６に記載の蛍光表示装置又は蛍光表示管は前記遮蔽電極には前記フィラメント状の陰極と同電位又はこれと比較して負の電位が印加されていることを特徴としている。
【００１４】
本発明の請求項７に記載の蛍光表示装置又は蛍光表示管は前記タッチスイッチ部がストライプ状又はメッシュ状の金属薄膜電極であることを特徴としている。
本発明の請求項８に記載の蛍光表示装置又は蛍光表示管は前記タッチスイッチ部の周囲に当該タッチスイッチ部とは電気的に独立し、前記表示窓部を覆うダミー電極が設けられていることを特徴としている。
本発明の請求項９に記載の蛍光表示装置又は蛍光表示管は前記ダミー電極の電位は所定の電位に固定されていることを特徴としている。
本発明の請求項１０に記載の蛍光表示装置又は蛍光表示管は前記タッチスイッチ部は相互に入り組んだ４つの電極を有し、両端の電極を同位相、他の電極はそれぞれ１２０度ずつ位相をずらして静電容量の変化を検出するものであることを特徴としている。
【発明の効果】
【００１５】
本発明の蛍光表示装置又は蛍光表示管はフィラメント状の陰極とタッチスイッチ部の間に遮蔽電極を設けているから、当該陰極から放出された電子が遮蔽電極で遮断され、タッチスイッチ部にチャージすることがない。このためスイッチ制御回路部１１４で信号の誤検出を起こすことも、表示制御部１１５を介してパターン表示部１０４に誤った表示がなされることもない。
【００１６】
請求項４に記載の発明においては、更に遮蔽電極がメッシュ状の金属電極なので、パターン表示部の表示を妨げることなく、電子を遮断できる。
請求項５に記載の発明においては、更に遮蔽電極が表示窓部の周囲の領域で前面板に固着されているので、固着部が視認されることはなく、パターン表示部の表示を妨げることがない。
請求項６に記載の発明においては、更に遮蔽電極の電位をフィラメント状の陰極と同電位又はこれと比較して負電位としたので、電子が電界により反射され電子の遮断効果が高い。
【００１７】
請求項７に記載の発明においては、更にタッチスイッチ部にストライプ状又はメッシュ状の金属薄膜電極を用いているが、金属薄膜電極は蛍光表示管の陽極の製造工程で広く使われているので、当該工程で同様に製造することができる。
請求項８に記載の発明においては、更にタッチスイッチ部の周囲に表示窓部を覆うダミー電極を設けたので、表示窓部の見た目が均一になり、パターン表示部の発光状態をタッチスイッチ部とその周囲で均一にできる。
【００１８】
請求項９に記載の発明においては、更にダミー電極の電位を所定の電位に固定しているので、フィラメント状の陰極からの電子によるチャージをより確実に解消できる。
請求項１０に記載の発明においては、更に遮蔽電極によりチャージの影響を遮断した環境下で、当該スイッチを適正に動作できる。
【発明を実施するための最良の形態】
【００１９】
図１〜図４により本発明の最良の形態に係る蛍光表示装置を説明する。なお各図に共通の部分及び図６、図７と同じ部分は、同じ符号を使用している。
図１に本発明の蛍光表示装置の主要部をなす蛍光表示管１の正面図を、図２に図１のＸ-Ｘ部の矢印方向の断面図を示す。なお図２ではフィラメント状陰極１１１の支持構造体は省略している。
【００２０】
図２で基板１０５上にはリード端子１１２の先端部１１２ａが接触する端子部１１と、端子部に導通する配線１２が金属薄膜で形成されている。配線１２上には絶縁層１３が設けられ、絶縁層１３のスルーホール部１４を介して導体１５が配線１２に接触して導通をとっており、導体１５の上面には蛍光体層１６が被着されている。ここで絶縁層１３、導体１５、蛍光体層１６が従来技術におけるパターン表示部１０４に相当する。
絶縁層１３、導体１５、蛍光体層１６上にはこれらを覆うように制御電極１１０が導電性固着材１７によって基板１０５に固着されている。制御電極１１０は図示しない配線により端子１１２に接続されている。
【００２１】
前面板１０７上にはリード端子１１２の先端部１１２ｂが接触する端子部１８と端子部に導通するスイッチ電極１９が金属薄膜で形成されている。金属薄膜はアルミニウム、ニオビウム等の材料をスパッタリングで成膜して所定のパターンにエッチングして形成する。スイッチ電極１９は線幅２０〜３０μｍの矩形状の枠の内部に同じく線幅２０〜３０μｍのストライプ状又はメッシュ状の細線を５０〜６０μｍの間隔で配置して形成している。
【００２２】
前面板１０７の内面は基板端から所定の範囲が端子部１８を除いて遮光性の絶縁性クロスオーバー層２０で覆われており、その内側が表示窓部１０２とさている。表示窓部１０２はパターン表示部１０４を視認するのに十分な範囲で設けられ、その一部に前記のスイッチ電極１９が設けられている。表示窓部１０２を覆うように遮蔽電極２１が導電性固着材２２によってクロスオーバー層２０に固着されている。遮蔽電極２１は図示しない配線により端子部１８、先端部１１２ｂを介してリード端子１１２に接続されている。そして遮蔽電極２１と制御電極１１０の間にはフィラメント状陰極１１１が張架されている。
【００２３】
絶縁性クロスオーバー層２０は低軟化点ガラスフリットに黒色の顔料を混合したペーストを印刷、焼成して形成する。遮蔽電極２１は蛍光表示管１の制御電極１１０と同様に厚さ５０μｍ程度のステンレススチールやニッケル・クロム合金をメッシュ状に加工した物を用いる。導電性固着材２２はアルミニウム等の金属粉末と低軟化点フリットガラスを主成分とする混合物を用いて形成する。
【００２４】
図１の正面図では基板端から所定の幅で全周にわたりクロスオーバー層２０が設けられ、その内部に表示窓部１０２が形成されている。遮蔽電極２１を固着する導電性固着材２２はクロスオーバー層２０の背後になるので正面からは視認できない。表示窓部１０２はその両端を除き遮蔽電極２１が設けられている。これはフィラメント状陰極２１が張架されてパターン表示部１０４を形成可能な範囲全体に相当する。
表示窓部１０２のうち遮蔽電極が覆っていない１０２ａ、１０２ｂの部分はフィラメント状陰極１１１を張架する支持体が設けられている部分であり表示がなし得ない部分である。
【００２５】
図１で遮蔽電極２１の形成範囲には３個のスイッチ電極１９と２３ａ〜２３ｄの４個一組で例えば１２８の位置分解能で出力が可能なリニアスイッチ電極が設けられている。これらの動作については後述する。また表示窓部１０２ａ、１０２ｂにもそれぞれ１個のスイッチ電極１９が設けられている。
【００２６】
これらのスイッチ電極とパターン表示部１０４に設けた蛍光体１６のパターンの位置関係を図３に示す。図３で基板１０５の外形内に蛍光体層１６のパターン例として”ＨＤＤ”の文字を示す１６ａ、”ＵＳＢ”の文字を示す１６ｂ、メールのシンボルを示す１６ｃ、バーグラフを示す１６ｄが配置されている。
これらに重なる矩形の破線１９’がスイッチ電極１９の位置を示し、２３’がリニアスイッチ電極２３の位置を示す。
【００２７】
そして各蛍光体層１６上のスイッチ電極１９に相当する前面板外壁面１０７ａに操作者が指で触れる度にスイッチ電極部１９の静電容量が変化し、その変化を図７と同様のスイッチ制御回路部１１４でスイッチのＯＮ又はＯＦＦとして判断・出力し、当該出力を受けた表示制御部１１５の出力によりスイッチがＯＮ又はＯＦＦされ当該蛍光体層１６が点燈又は非点燈するよう動作させることができる。
【００２８】
またリニアスイッチ電極２３に相当する前面板外壁面１０７ａに操作者が指で触れると、その位置に応じてリニアスイッチ電極２３からの出力値が連続的に変化し、前記と同様にそれに応じてバーグラフの点燈範囲を変化させることができる。そしてこの出力値を例えば蛍光表示管１と同時に使用されているスピーカの音量調整に用いることができる。
【００２９】
本発明のタッチスイッチの動作原理を図４を用いて説明する。スイッチ制御回路２はパルス発生器２４と、比較回路２５と、この比較回路２５の一方の入力側とパルス発生器２４との間に接続されるコンデンサＣを有し、上記パルス発生器１４と比較回路１５の他方の入力側との間にスイッチ電極部１９が接続されている。
【００３０】
前記スイッチ電極１９に相当する前面板外壁面１０７ａ（タッチ部Ｓ）に操作者が指で触れることで、指とスイッチ電極１９の間に静電容量が発生し、一種のコンデンサとなる。しかして、指が触れていない状態におけるタッチ電極１９の静電容量と同等の静電容量を有するコンデンサＣを、上記比較回路２５の一方の入力側とパルス発生器２４との間に接続する構成としている。
【００３１】
タッチ部Ｓに操作者の指が触れると、その指が誘電体として作用し、スイッチ電極部１９の静電容量が変化する。このスイッチ電極部１９と前記コンデンサＣとの容量バランスが崩れて、比較回路２５の両入力端に加えられるパルス電圧に差が生じ比較回路２５から出力が得られる。
【００３２】
本発明のリニアタッチスイッチは両端の電極２３ａと２３ｄを共通の配線で接続し、２３ｂと２３ｃを単独の配線で接続して３組の電極として用いる。そして各組の電極を位相が１２０度ずつずれた略同一振幅の波形信号によって駆動する。
従来技術における静電容量型スイッチと同様の一対の隣り合った電極に対して前面板外壁面１０７ａに操作者が指で触れることにより形成される付加的な静電容量が、その指の位置に従って変わり、電極から再生し得る信号の位相は、板外壁面１０７ａに接触した指の位置に関連する量だけ変化する。
【００３３】
この出力が図示しないスイッチ制御回路部１１４に入力され、これに基づき所定の表示データが表示制御部１１５に出力され、蛍光表示管１の表示が変更される。
このリニアタッチスイッチの駆動回路等は特開昭５６−１４３８号公報等により公知であるので、ここでは省略する。
【００３４】
なお本発明に用いる静電容量型タッチスイッチは上記実施の形態に記載したものに限るものではなく、従来技術におけるタッチスイッチ等公知の様々な静電容量型スイッチを用いることができる。
また本発明の表示制御回路は、マイクロプロセッサやドライバを用いた公知の表示制御回路を用いることができる。
【００３５】
遮蔽電極に印加する電位を変化させた場合のタッチスイッチの動作状況を説明する。
評価サンプルの構造は基板１０５内面から制御電極１１０までの高さが０．５ｍｍ程度、フィラメント状陰極１１１までの高さが１．５ｍｍ程度であり、前面板１０７内面から遮蔽電極２１、フィラメント状陰極１１１までの距離も同様である。
【００３６】
フィラメント状陰極１１１に５Ｖ、制御電極１１０と配線１２に４５Ｖを印加した状態で遮蔽電極２１の電位を０から２０Ｖまで変化させた場合、遮蔽電極２１の電位が１０Ｖより高くなるとスイッチ電極部１９を用いたタッチスイッチの動作が不安定になった。
【００３７】
これはフィラメント状陰極１１１の電位よりも遮蔽電極２１の電位が高くなった場合はスイッチ電極部１９に電子線が照射されたためと考えられる。従って遮蔽電極２１の電位はフィラメント状陰極の電位と同電位か負の電位であることが好ましい。
またこの不安定動作は操作者が触れた指の位置をより厳密に検出するリニアスイッチにおいてより顕著であった。
【実施例１】
【００３８】
本発明の実施例を図５を用いて説明する。図５ではスイッチ電極１９及び当該電極と端子部１８を接続する配線、リニアスイッチ電極２３ａ〜２３ｄ及び当該電極と端子部１８を接続する配線を除き、表示窓部１０２をダミーパターン２６で覆ったものである。
【００３９】
ダミーパターン２６はスイッチ電極１９と同様に線幅２０〜３０μｍのストライプ状又はメッシュ状の金属薄膜の細線を５０〜６０μｍの間隔で配置して形成している。ダミーパターンはスイッチ電極１９と同一工程で形成し、同じ模様とすることが好ましい。
またダミーパターンは端子１８と配線で接続し、グラウンド電位やスイッチ電極１９と同電位の所定の電位を印加することが好ましい。
【実施例２】
【００４０】
本発明の他の実施例として、スイッチ制御回路１１４と表示制御部１１５を内蔵した蛍光表示管を示す。
近年、駆動用ドライバをＩＣ化し、蛍光表示管の基板１０５上に１又は複数のＩＣを実装したいわゆるチップイングラス蛍光表示管が知られている。
【００４１】
本発明においては駆動用ドライバだけでなくスイッチ制御回路１１４と表示制御部１１５をＩＣ化して蛍光表示管の基板１０５上に実装することができる。これによりスイッチ制御回路１１４と表示制御部１１５をプリント基板上に実装してモジュール化した蛍光表示装置よりも一層の小形化を図ることができる。
【図面の簡単な説明】
【００４２】
【図１】本発明の一実施形態に係る蛍光表示管の正面図である。
【図２】本発明の一実施形態に係る蛍光表示管の断面図である。
【図３】本発明の一実施形態に係る蛍光表示管のスイッチ電極と蛍光体パターンの位置関係を示す図である。
【図４】本発明の一実施形態に係る静電容量型タッチスイッチの動作原理図である。
【図５】本発明の一実施形態に係る蛍光表示管の正面図である。
【図６】従来の蛍光表示装置の構造を示す図である。
【図７】従来の蛍光表示装置の電気的構成のブロック図である。
【符号の説明】
【００４３】
１  蛍光表示管
２  スイッチ制御回路
１１  端子部
１２  配線
１３  絶縁層
１４  スルーホール部
１５  導体
１６  蛍光体層
１７  導電性固着材
１８  端子部
１９  スイッチ電極
２０  絶縁性クロスオーバー層
２１  遮蔽電極
２２  導電性固着材
２３ａ〜ｄ  リニアスイッチ電極
２４  パルス発生器
２５  比較回路
１０１  蛍光表示管
１０２  表示窓部
１０３  外囲器
１０４  パターン表示部
１０５  基板
１０６  側板
１０７  前面板
１０７ａ  外囲器外壁面
１０８  スイッチ電極部
１０９  絶縁部
１１０  制御電極
１１１フィラメント状陰極
【図１】
2010114015.tif 000003
【図２】
2010114015.tif 000004
【図３】
2010114015.tif 000005
【図４】
2010114015.tif 000006
【図５】
2010114015.tif 000007
【図６】
2010114015.tif 000008
【図７】
2010114015.tif 000009